(57)【要約】      （修正有）【課題】簡易な構成で、堅牢化の促進を図り、且つ、冷却水の高精度な水位検出を実現し得る、冷却装置のタンク構造を提供する。【解決手段】冷却水が戻される冷却水戻り口１０１及び冷却水を排出する冷却水排出口１０２を有したタンク本体１０に水位レベル検出用の水位センサ１４を組付け配置すると共に、この水位センサ１４と冷却水戻り口１０１との間を複数の貫通孔１７１を有した補強板１７で間仕切るように構成したものである。【選択図】図１
2011029502.tif 000002
【特許請求の範囲】
【請求項１】
冷却水戻り口及び冷却水排出口が設けられ、冷却水が前記冷却水戻り口から導かれて収容されて、前記冷却水排出口から排出されるタンク本体と、
前記タンク本体に収容された前記冷却水に浸漬され、該冷却水の水位レベルを検出する水位センサと、
前記タンク本体内に設けられ、前記冷却水戻り口と前記水位センサとの間を仕切る複数の貫通孔を有した補強板と
を具備することを特徴とする冷却装置のタンク構造。
【請求項２】
前記タンク本体の冷却水戻り口及び冷却水排出口には、戻り管及び排出管が配管接続されることを特徴とする請求項１記載の冷却装置のタンク構造。
【請求項３】
前記タンク本体の冷却水排出口には、排出ポンプが設けられ、該排出ポンプで前記冷却水を排出することを特徴とする請求項１記載の冷却装置のタンク構造。
【請求項４】
前記タンク本体の上面部には、開閉自在な冷却水供給窓が設けられることを特徴とする請求項１乃至３のいずれか記載の冷却装置のタンク構造。
【発明の詳細な説明】
【技術分野】
【０００１】
この発明は、例えば放送用送信機の冷却に用いる冷却装置に係り、特にそのタンク構造に関する。
【背景技術】
【０００２】
一般に、この種の冷却装置においは、冷却媒体として冷却水を送信機の発熱部に循環供給することにより、発熱部の熱量を奪って外部に排熱する水冷式が採用されている。このような冷却装置にあっては、冷却水を冷却水タンクに収容して、この冷却水タンクに収容した冷却水を発熱部に循環供給している。
【０００３】
この冷却水タンクは、タンク本体の底近傍の壁面に冷却水の戻り口と取出し口が分離されて設けられ、この戻り口と取出し口との間には、フロート式の水面レベルスイッチが設けられている。このタンク本体には、その戻り口から冷却水が戻されて収容され、その取出し口から収容された冷却水が発熱部に循環供給されて冷却に供されている。そして、この冷却水の循環供給時において、水面レベルスイッチがタンク内の冷却水の収容状態を検出して、この検出情報に基づいて図示しない制御部で、タンク本体内に常に一定以上の冷却水が貯蓄されるように、水位が減少した際には、水位異常アラームを発信するように制御されている。
【０００４】
ところで、このような冷却水タンクにあっては、タンク本体がいわゆる密閉構造に形成され、その戻り口から冷却水が戻されると、その戻り冷却水により、タンク本体内の水面がいわゆる波立ち、水面レベルスイッチが誤動作して、冷却水が貯蓄されているのにも関わらず、水位異常アラームを誤発信する虞がある。
【０００５】
そこで、冷却水タンクとしては、タンク本体内の水面に対して補償筒に内挿した水位センサを垂直状に水没させて配し、この補償筒の一端部をタンク本体の戻り口と取出し口の上部側の水面内に多孔板よりなる波消し板で支持して配置した構成のものが提案されている（例えば、特許文献１参照。）。この冷却水タンクは、外部から付与される振動や揺動等によりタンク本体内に波が起こると、その水位センサの周囲の波を補償筒及び波消し板で消して、該水位センサによる高精度な水位検出を可能としている。
【先行技術文献】
【特許文献】
【０００６】
【特許文献１】特開平２００６−１０５７６２号公報
【発明の概要】
【発明が解決しようとする課題】
【０００７】
しかしながら、上記冷却水タンクでは、補償筒内に内挿した水位センサを、タンク本体の戻り口及び取出し口上の水面内に支持板を兼用する波消し板を用いて垂直状に配置して、タンク本体に付与される外部からの振動や揺動により起こる波を補償している構成上、その波補償構造が複雑となり、タンク設計に制約を受けるという問題を有する。
【０００８】
係る事情は、例えば最近の冷却対象の大容量化による発熱量の増加により、冷却装置の冷却能力の向上を図るような場合、その冷却水量が多く必要となるために、大形のタンク本体が要求されている。このタンク本体の大形化を図る場合には、タンク自体の堅牢化と共に、冷却水の安定した循環供給の必要性とにより、タンク設計上における制約が増大される。
【０００９】
この発明は、上記の事情に鑑みてなされたもので、簡易な構成で、堅牢化の促進を図り得、且つ、冷却水の高精度な水位検出を実現し得るようにした冷却装置のタンク構造を提供することを目的とする。
【課題を解決するための手段】
【００１０】
この発明は、冷却水戻り口及び冷却水排出口が設けられ、冷却水が前記冷却水戻り口から導かれて収容されて、前記冷却水排出口から排出されるタンク本体と、前記タンク本体に収容された前記冷却水に浸漬され、該冷却水の水位レベルを検出する水位センサと、前記タンク本体内に設けられ、前記冷却水戻り口と前記水位センサとの間を仕切る複数の貫通孔を有した補強板とを備えて冷却装置のタンク構造を構成した。
【００１１】
上記構成によれば、冷却水は、冷却水戻り口からタンク本体内に導かれると、その水の勢いによりタンク本体内に収容されている冷却水の水面が波立ち、その波が補強板の複数の貫通孔を通りタンク本体内における補強板の他方面側に移動されることにより、打消されて軽減され、補強板の他方面側における水面がほとんど波の存在しない静かな状態となる。これにより、補強板によるタンク本体の堅牢化を図ったうえで、該補強板の複数の貫通孔による波の打ち消し作用により、水位センサによるタンク本体内に収容された冷却水の水位レベルの検出を、高精度に行うことが可能となる。
【発明の効果】
【００１２】
以上述べたように、この発明によれば、簡易な構成で、堅牢化の促進を図り得、且つ、冷却水の高精度な水位検出を実現し得るようにした冷却装置のタンク構造を提供することができる。
【図面の簡単な説明】
【００１３】
【図１】この発明の一実施の形態に係る冷却装置のタンク構造を正面側から見た状態を示した平面図である。
【図２】図１のタンク構造を上面側から見た状態を示した平面図である。
【図３】図１のタンク構造を一方の側面側から見た状態を示した平面図である。
【図４】この発明の他の実施の形態に係る冷却装置のタンク構造を正面側から見た状態を示した平面図である。
【図５】図４のタンク構造を一方の側面側から見た状態を示した平面図である。
【発明を実施するための形態】
【００１４】
以下、この発明の実施の形態について、図面を参照して詳細に説明する。
【００１５】
図１乃至図３は、この発明の一実施の形態に係る冷却装置のタンク構造を示すもので、図１は、正面側から見た状態を示し、図２は、上面側から見た状態を示し、図３は、側面側から見た状態を示す。
【００１６】
即ち、タンク本体１０は、例えば凹状をした箱状に形成され、その開口側には、蓋体１１が装着されて密閉構造に形成されている。そして、このタンク本体１０の、例えば一方面の下部側の両端には、冷却水戻り口１０１及び冷却水排出口１０２が所定の間隔、離間されて設けられている。
【００１７】
この冷却水戻り口１０１及び冷却水排出口１０２には、例えば戻り管１２及び冷却水排出管１３が配管接続される。この戻り管１２及び排出管１３は、それぞれ図示しない冷却装置に配管接続され、上記冷却装置（図示せず）とタンク本体１０との間で冷却水の循環供給を実行する。
【００１８】
上記タンク本体１０には、例えばフロート式レベルスイッチ等の水位レベル検出用水位センサ１４が、上記冷却水戻り口１０１及び冷却水排出口１０２の連結面と逆側の他方面側近傍における蓋体１１の略中間部から挿入されて冷却水に浸漬されて組付けられている（図１乃至図３参照）。この水位センサ１４は、例えば接続ケーブル１５を介して図示しない冷却制御部に配線接続されており、タンク本体１０に収容される冷却水の水位レベルを検出して、その検出信号を接続ケーブル１５を介して上記冷却制御部（図示せず）に出力する。
【００１９】
そして、上記タンク本体１０の蓋体１１には、冷却水供給窓１６が、例えば上記水位センサ１４に対して直列状に配置されて設けられている（図２参照）。この冷却水供給窓１６には、蓋体１６１が着脱自在に設けられ、この蓋体１６１を離脱させた状態で、冷却水のタンク本体１０内への継ぎ足し供給を行うことができる。
【００２０】
また、上記タンク本体１０には、その内部の冷却水戻り口１０１と水位センサ１４との間であって、例えば水位センサ１４の近傍に補強板１７が内部空間を二つに間仕切り分離する如く設けられている。この補強板１７には、複数の貫通孔１７１が所定の間隔に設けられ、この複数の貫通孔１７１を通って冷却水戻り口１０１からタンク本体１０内に戻された冷却水が冷却水排出口１０２に移動されて排出される。
【００２１】
ここで、冷却水は、戻り管１２に導かれてタンク本体１０内に戻されると、その水の勢いによりタンク本体１０内の水面を波立たせてタンク本体１０内に波が発生される。すると、この波立った冷却水は、タンク本体１０内の補強板１７の複数の貫通孔１７１を通過して他方面側に移動され、その移動に伴って複数の貫通孔１７１の作用により波が打消されて軽減され、水位センサ１４の配されたタンク本体１０の補強板１７の水位センサ側において殆ど波のない静かな状態となる。
【００２２】
さらに、上記タンク本体１０には、例えば底面側両端部及び背面側両端部に固定部１０３，１０４がそれぞれ突設され、この固定部１０３，１０４がボルト部材１０５を用いて設置場所に固定されることで略水平状に位置決めされて設置される。この状態で、タンク本体１０には、その冷却水戻り口１０１及び冷却水排出口１０２に戻り管１２及び排出管１３が配管接続されると共に、上記水位センサ１４が、冷却水内に浸漬されて組付けられる。
【００２３】
上記構成において、タンク本体１０には、上記冷却装置（図示せず）からの戻り管１２から冷却水戻り口１０１に供給されると、その冷却水が補強板１７の複数の貫通孔１７１を通り冷却水排出口１０２から戻り管１３を経由して上記冷却装置（図示せず）に循環供給される。この冷却水は、戻り管１２からタンク本体１０内に戻されると、その水の勢いにより、水面が波立ち、その波が補強板１７の複数の貫通孔１７１を通りその他方面側に移動される。すると、この冷却水は、その水面の波が複数の貫通孔１７１の作用により打消されて軽減され、タンク本体１０内の補強板１７の他方面側における水面が静かな状態に可変される。
【００２４】
この状態で、水位センサ１４は、タンク本体１０内の水面が静かな状態の冷却水の水位レベルを検出して、その検出信号を、配線ケーブル１５を介して上記冷却制御部（図示せず）に出力する。
【００２５】
ここで、冷却制御部（図示せず）は、例えば検出信号に基づいて冷却水の循環機構部を駆動制御して冷却水の量を制御する。そして、検出信号に基づいてタンク本体１０内の冷却水の水位量が少ないことを検知した場合には、例えば冷却水供給窓１６から蓋体１６１を離脱させてタンク本体１０内に所望量の冷却水を継ぎ足し供給され、タンク本体１０内の水量が所定量に調整される。
【００２６】
このように、上記冷却装置のタンク構造は、冷却水が戻される冷却水戻り口１０１及び冷却水を排出する冷却水排出口１０２を有したタンク本体１０に水位レベル検出用の水位センサ１４を組付け配置すると共に、この水位センサ１４と冷却水戻り口１０１との間を複数の貫通孔１７１を有した補強板１７で間仕切るように構成した。
【００２７】
これによれば、タンク本体１０に収容される冷却水は、冷却水戻り口１０１からタンク本体１０内に導かれると、その水の勢いによりタンク本体１０内の水面が波立ち、その波が補強板１７の複数の貫通孔１７１を通りタンク本体１０内を移動すると、複数の貫通孔１７１により打消されて、ほとんど波の存在しない静かな水面状態となる。これにより、補強板１７によるタンク本体１０の堅牢が図れてタンク本体１０の大形化の促進を容易に図ることができ、しかも、該補強板１７の複数の貫通孔１７１による波の打ち消し作用により、水位センサ１４によるタンク本体１０内に収容された冷却水の水位レベルの検出を、高精度に行うことができる。
【００２８】
なお、この発明は、上記実施の形態に限ることなく、その他、図４及び図５に示すように排出ポンプ１８を用いて構成することも可能で、同様に有効な効果が期待される。但し、この図４及び図５に示す各実施の形態の説明においては、上記図１乃至図３と同一部分については、同一符号を付して、その詳細な説明を省略する。
【００２９】
即ち、この実施の形態では、例えばタンク本体１０の蓋体１１にポンプ用冷却水排出口１１１を設け、この冷却水排出口１１１には、上記排出ポンプ１８を設置する。そして、この排出ポンプ１８の排出口１８１には、上記排出管１３が配管接続される。この実施の形態においては、排出ポンプ１８の重量がタンク本体１０の蓋体１１に直接的に付与されることとなるが、タンク本体１０に間仕切り配置した補強板１７の作用により、堅牢化が図れていることで、特に、タンク本体１０及び蓋体１１の板厚を高めたりすることなく、ポンプ設置を実現することができる。
【００３０】
この実施の形態においては、例えば予備系を構成する場合、図示しない予備系排出ポンプを、例えば上記排出ポンプ１８に並設してタンク本体１０の蓋体１１に設置して、この予備系排出ポンプを上記排出ポンプ１８に代えて選択的に駆動して冷却水を循環供給させるように構成することで可能である。
【００３１】
また、上記実施の形態では、タンク構成としてタンク本体１０に蓋体１１を被着した構成のものに適用した場合について説明したが、この構成に限ることなく、その他、各種のタンク構成のものにおいても適用可能で、同様に有効な効果が期待される。
【００３２】
この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３３】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００３４】
１０…タンク本体、１０１…冷却水戻り口、１０２…冷却水排出口、１０３，１０４…固定部、１０５…ボルト部材、１１…蓋体、１１１…冷却水排出口、１２…戻り管、１３…排出管、１４…水位センサ、１５…接続ケーブル、１６…冷却水供給窓、１７…補強板、１７１…貫通孔、１８…排出ポンプ、１８１…排出口。
【図１】
2011029502.tif 000003
【図２】
2011029502.tif 000004
【図３】
2011029502.tif 000005
【図４】
2011029502.tif 000006
【図５】
2011029502.tif 000007